(57)【要約】【課題】簡単な構成で薬品に関する詳細な情報を極めて容易に入手できるようにする。【解決手段】読取装置としてのハンディターミナル２０により薬品の収容体である、薬瓶１０に付与される非接触データキャリアとしてのＲＦＩＤラベル１１ａから薬品に関する情報が非接触にて読み取られると、その読み取られた薬品に関する情報がハンディターミナル２０のスピーカ２２又は表示部２３により音声出力又は拡大表示されるようにし、薬品に関する情報が多くなるに従い、薬品の収容体等に記載される情報の記載文字が小さくなっても、高齢者のみならず、一般の消費者、さらには視覚障害者等に対し、薬品に関する情報を容易に入手できるようにした。【選択図】図１
2007233571.tif 000002
【特許請求の範囲】
【請求項１】
薬品に関する情報を入手する薬品情報入手システムであって、
薬品の収容体に付与され、その薬品に関する情報を保持する非接触データキャリアと、
この非接触データキャリアの薬品に関する情報を非接触にて読み取り、音声出力又は拡大表示を行う読取装置とを備える
ことを特徴とする薬品情報入手システム。
【請求項２】
前記読取装置は、
前記読み取られた薬品に関する情報の中から任意の情報を選択する選択手段と、
前記選択された任意の情報と前記非接触データキャリアの識別ＩＤとを記憶する記憶手段とを有し、
任意の前記非接触データキャリアからの薬品に関する情報の読み取りが再度行われ、読み取られた非接触データキャリアの識別ＩＤが前記記憶手段に記憶されている識別ＩＤと同一であるか、又は読み取られた薬品に関する情報と前記記憶手段に記憶されている前記選択された情報とが同じものである場合、前記記憶手段に記憶されている前記任意の情報の音声出力又は拡大表示が行われる
ことを特徴とする請求項１に記載の薬品情報入手システム。
【請求項３】
前記読取装置は、
前記選択された任意の情報を前記識別ＩＤに対応させて前記記憶手段に書き込む書込手段を有し、
前記書込手段は、前記任意の情報を書き込む際、読み取られた薬品に関する情報の全てを、一旦、前記記憶手段に書き込み、その全ての情報のうち前記選択された任意の情報に読出可のフラグを書き込むか、又は選択されない任意の情報を前記記憶手段から消去する
ことを特徴とする請求項２に記載の薬品情報入手システム。
【請求項４】
薬品の収容体に付与される非接触データキャリアから薬品に関する情報を非接触にて読み取るステップと、
読み取られた前記薬品に関する情報を音声出力又は拡大表示するステップとを有する
ことを特徴とする薬品情報入手方法。
【請求項５】
前記読み取られた薬品に関する情報の中から任意の情報が選択されると、その選択された任意の情報と前記非接触データキャリアの識別ＩＤとが記憶されるステップと、
任意の前記非接触データキャリアからの薬品に関する情報の読み取りが再度行われ、読み取られた非接触データキャリアの識別ＩＤが前記記憶されている識別ＩＤと同一であるか、又は読み取られた薬品に関する情報と前記記憶されている前記選択された情報とが同じものである場合、前記記憶されている前記任意の情報の音声出力又は拡大表示が行われるステップとを有する
ことを特徴とする請求項４に記載の薬品情報入手方法。
【発明の詳細な説明】
【技術分野】
【０００１】
本発明は、薬品に関する情報の入手に適した薬品情報入手システム及び薬品情報入手方法に関する。
【背景技術】
【０００２】
薬品の外装箱や説明書には、薬品の名称、用法用量、注意事項等の薬品に関する情報が記載されている。ところで、薬品について使用者が求める情報内容の高度化に伴い、従来からの外装箱上での表示では、製品に付随する情報量に対し記載できる情報量に限界が生じてきている。
【０００３】
特に薬品は小型のものが多く、自ずとその外装箱が小さくなり、外装箱の表面に薬品に関する情報を記載できる領域が極端に制限されてしまう。そのため、薬品に関する情報が多くなるに従い、記載文字が小さくなり、高齢者のみならず、一般の消費者にも大変読み難いものとなっている。また、外装箱を開封後、薬品の使用中に外装箱や説明書を紛失してしまうことが多く、後で薬品に関する情報を参照できなくなるという問題がある。
【０００４】
このような不具合を解消するためには、ＲＦＩＤを用いて音声で案内することなどが考えられる。すなわち、たとえば特許文献１に示されているように、視覚障害者が保持するＲＦＩＤタグのＩＤを、従来から設置されている線状ブロック又は点状ブロックと同等の形状を有する視覚障害者音声誘導用ブロックの内部に組み込んだＲＦＩＤリーダで読み取り、この視覚障害者音声誘導用ブロック内の音声出力ユニットから詳細な音声メッセージが発せられるような手法を用いることが考えられる。
【特許文献１】特開２００３−９１７９４号公報
【発明の開示】
【発明が解決しようとする課題】
【０００５】
ところが、特許文献１のように、視覚障害者音声誘導用ブロックの内部に組み込んだＲＦＩＤリーダで視覚障害者が保持するＲＦＩＤタグのＩＤを読み取るようにする手法を薬品に関する情報を読み取るシステムに適用しようとすると、ＲＦＩＤリーダをネットワークに接続されたホストコンピュータ等に接続し、そのホストコンピュータ側にそれぞれのＲＦＩＤタグのＩＤに対応させて薬品に関する情報を記憶させておく必要があり、システム構成が大がかりなものとなってしまう。
【０００６】
この場合、薬品に関する情報を入手する対象が上述したように、高齢者のみならず、一般の消費者、さらには視覚障害者等であり、各自が上述した大がかりなシステムを導入して薬品に関する情報を入手するようなことは実現不可能であるという問題があった。
【０００７】
このようなことから、高齢者のみならず、一般の消費者、さらには視覚障害者等であっても、薬品に関する詳細な情報を極めて容易に入手できるようなシステムの構築が望まれていた。
【０００８】
本発明は、このような状況に鑑みてなされたものであり、上記問題点を解決することができる薬品情報入手システム及び薬品情報入手方法を提供することを目的とする。
【課題を解決するための手段】
【０００９】
本発明の薬品情報入手システムは、薬品に関する情報を入手する薬品情報入手システムであって、薬品の収容体に付与され、その薬品に関する情報を保持する非接触データキャリアと、この非接触データキャリアの薬品に関する情報を非接触にて読み取り、音声出力又は拡大表示を行う読取装置とを備えることを特徴とする。
また、前記読取装置は、前記読み取られた薬品に関する情報の中から任意の情報を選択する選択手段と、前記選択された任意の情報と前記非接触データキャリアの識別ＩＤとを記憶する記憶手段とを有し、任意の前記非接触データキャリアからの薬品に関する情報の読み取りが再度行われ、読み取られた非接触データキャリアの識別ＩＤが前記記憶手段に記憶されている識別ＩＤと同一であるか、又は読み取られた薬品に関する情報と前記記憶手段に記憶されている前記選択された情報とが同じものである場合、前記記憶手段に記憶されている前記任意の情報の音声出力又は拡大表示が行われるようにすることができる。
また、前記読取装置は、前記選択された任意の情報を前記識別ＩＤに対応させて前記記憶手段に書き込む書込手段を有し、前記書込手段は、前記任意の情報を書き込む際、読み取られた薬品に関する情報の全てを、一旦、前記記憶手段に書き込み、その全ての情報のうち前記選択された任意の情報に読出可のフラグを書き込むか、又は選択されない任意の情報を前記記憶手段から消去するようにすることができる。
本発明の薬品情報入手方法は、薬品の収容体に付与される非接触データキャリアから薬品に関する情報を非接触にて読み取るステップと、読み取られた前記薬品に関する情報を音声出力又は拡大表示するステップとを有することを特徴とする。
また、前記読み取られた薬品に関する情報の中から任意の情報が選択されると、その選択された任意の情報と前記非接触データキャリアの識別ＩＤとが記憶されるステップと、任意の前記非接触データキャリアからの薬品に関する情報の読み取りが再度行われ、読み取られた非接触データキャリアの識別ＩＤが前記記憶されている識別ＩＤと同一であるか、又は読み取られた薬品に関する情報と前記記憶されている前記選択された情報とが同じものである場合、前記記憶されている前記任意の情報の音声出力又は拡大表示が行われるステップとを有するようにすることができる。
本発明の薬品情報入手システム及び薬品情報入手方法では、薬品の収容体に付与される非接触データキャリアから薬品に関する情報が非接触にて読み取られると、その読み取られた薬品に関する情報が音声出力又は拡大表示される。
【発明の効果】
【００１０】
本発明の薬品情報入手システム及び薬品情報入手方法よれば、薬品の収容体に付与される非接触データキャリアから薬品に関する情報が非接触にて読み取られると、その読み取られた薬品に関する情報が音声出力又は拡大表示されるので、薬品に関する情報が多くなるに従い、薬品の収容体等に記載される情報の記載文字が小さくなっても、高齢者のみならず、一般の消費者、さらには視覚障害者等に対し、簡単な構成で薬品に関する詳細な情報を極めて容易に入手できるようにすることができる。
【発明を実施するための最良の形態】
【００１１】
本実施形態では、読取装置により薬品の収容体に付与される非接触データキャリアから薬品に関する情報が非接触にて読み取られると、その読み取られた薬品に関する情報が読取装置により音声出力又は拡大表示されるようにし、薬品に関する情報が多くなるに従い、薬品の収容体等に記載される情報の記載文字が小さくなっても、高齢者のみならず、一般の消費者、さらには視覚障害者等に対し、簡単な構成で薬品に関する詳細な情報を極めて容易に入手できるようにした。
【実施例】
【００１２】
以下、本発明の実施例について説明する。
（第１の実施例）
図１〜図３は、本発明の薬品情報入手システムの第１の実施例を示す図である。図１〜図３に示す薬品情報入手システムは、ＲＦＩＤラベル１１ａ〜１１ｃとハンディターミナル２０とを備えている。また、図１〜図３に示すＲＦＩＤラベル１１ａ〜１１ｃは、薬品自体により近い薬瓶１０、紙箱３０、紙袋４０のそれぞれに貼着されている場合を示している。
【００１３】
すなわち、図１に示す薬瓶１０は、たとえば薬品である錠剤を内部に収納し、外装箱に収容されている場合が多い。この場合、錠剤により近い薬瓶１０の表面にＲＦＩＤラベル１１ａを貼着しておくことで、外装箱を開封後、薬品の使用中に外装箱や説明書を紛失してしまった場合でも、後で薬品に関する情報を参照することができる。
【００１４】
また、図２に示す紙箱３０は、薬品包装体である。この場合、その薬品包装体を開封後、残りの薬品が薬品包装体の内部に収容されるため、薬品により近い紙箱３０の表面にＲＦＩＤラベル１１ｂを貼着しておくことで、説明書を紛失してしまった場合でも、後で薬品に関する情報を参照することができる。
【００１５】
また、図３に示す紙袋４０は、処方箋を提出して薬局で受け取るブリスターパック（プラスチック状の硬質透明カバーによる包装）４３を収容する袋である。この場合、紙袋４０を開封してブリスターパック４３の錠剤がいくつか使用された後、残りの錠剤を有するブリスターパック４３が紙袋４０に収容されるため、薬品により近い紙袋４０の表面にＲＦＩＤラベル１１ｃを貼着しておくことで、説明書を紛失してしまった場合でも、後で薬品に関する情報を参照することができる。
【００１６】
ここで、図１〜図３に示すＲＦＩＤラベル１１ａ〜１１ｃには、微小なＩＣチップ１２が設けられており、そのＩＣチップ１２に個々の薬品に関する情報が記憶されている。薬品に関する情報とは、薬品の名称、用法用量、効能効果、その他詳細な注意事項等である。用法用量とは、適応疾病に対し治療又は予防効果を発揮し、かつ、安全性を確保するために、服用時期、服用間隔、服用量等の記載内容である。
【００１７】
なお、ＲＦＩＤラベル１１ａ〜１１ｃとしては、専用の非接触データキャリアをタック加工してラベル化したもの、アンテナを薬瓶１０に直接印刷した後、そのアンテナ端子にタック加工されたＩＣチップラベルを貼着したもの、コイルとＩＣチップとが一体に集積化されたコイルオンチップをタック加工してラベル化したもの、コイルとＩＣチップとが一体に集積化されたコイルオンチップをインモールド成形して貼着可能としたもののいずれかを用いることができる。
【００１８】
また、図１〜図３に示すハンディターミナル２０は、少なくとも、読取部２１と、スピーカ２２と、表示部２３と、操作部２４とを有している。読取部２１は、無線通信によってＲＦＩＤラベル１１ａ〜１１ｃのＩＣチップ１２の薬品に関する情報を読み取るものであり、その通信方式としては静電結合方式、電磁結合方式、電磁誘導結合方式、マイクロ波方式、光方式のいずれかを用いることができる。
【００１９】
スピーカ２２は、読取部２１によって読み取られた薬品に関する情報を音声出力するものである。表示部２３は、読取部２１によって読み取られた薬品に関する情報を拡大表示するものである。操作部２４は、少なくともＲＦＩＤラベル１１ａ〜１１ｃのＩＣチップ１２に記憶されている薬品に関する情報を読み取る際に操作される後述の読取キー２４ａと、読み取られた薬品に関する情報をスピーカ２２から出力させる際に操作される後述のスピーカ出力キー２４ｂと、読み取られた薬品に関する情報を表示部２３によって拡大表示させる際に操作される後述の拡大表示キー２４ｃとを有している。
【００２０】
図４は、上述したハンディターミナル２０の制御系の概要を示す図である。同図に示すように、ハンディターミナル２０の制御系２５Ａは、読取駆動部２５ａ、読取情報処理部２５ｂ、スピーカ駆動部２５ｃ、表示駆動部２５ｄ、内部Ｉ／Ｆ（インタフェース）２５ｅ、ＲＯＭ２５ｆ、ＲＡＭ２５ｇ、ＣＰＵ２５ｈを有している。
【００２１】
読取駆動部２５ａは、読取部２１に対しＲＦＩＤラベル１１ａ〜１１ｃのＩＣチップ１２に記憶されている薬品に関する情報を読み取るための信号を送信させ、さらにＲＦＩＤラベル１１ａ〜１１ｃ側からの返信信号を受け取らせる。
【００２２】
読取情報処理部２５ｂは、ＲＦＩＤラベル１１ａ〜１１ｃ側から受け取った信号を処理し、音声信号及び表示信号とする。スピーカ駆動部２５ｃは、読取情報処理部２５ｂによって処理された音声信号に基づき、スピーカ２２から薬品に関する情報を音声出力させる。
【００２３】
表示駆動部２５ｄは、読取情報処理部２５ｂによって処理された表示信号に基づき、表示部２３に薬品に関する情報を拡大表示させる。内部Ｉ／Ｆ（インタフェース）２５ｅは、ＲＦＩＤラベル１１ａ〜１１ｃのＩＣチップ１２に記憶されている薬品に関する情報を読み取る際に操作される読取キー２４ａ、読み取られた薬品に関する情報をスピーカ２２から出力させる際に操作されるスピーカ出力キー２４ｂ、読み取られた薬品に関する情報を表示部２３によって拡大表示させる際に操作される拡大表示キー２４ｃのいずれかからの入力を受け付ける。
【００２４】
ＲＯＭ２５ｆには、少なくともＣＰＵ２５ｈによる制御に必要な制御プログラムが格納されている。ＲＡＭ２５ｇには、読取部２１によって読み取られたＲＦＩＤラベル１１ａ〜１１ｃからの薬品に関する情報等が記憶される。
【００２５】
ＣＰＵ２５ｈは、ＲＯＭ２５ｆに格納されている制御プログラムに基づいて各部の動作を制御する。ＣＰＵ２５ｈによる主な制御としては、ＲＦＩＤラベル１１ａ〜１１ｃのＩＣチップ１２に記憶されている薬品に関する情報を読み取る際に操作される読取キー２４ａが入力されると、読取駆動部２５ａを制御し、読取部２１によってＲＦＩＤラベル１１ａ〜１１ｃのＩＣチップ１２に記憶されている薬品に関する情報を読み取らせることである。
【００２６】
また、ＣＰＵ２５ｈによる主な制御としては、読取部２１によってＲＦＩＤラベル１１ａ〜１１ｃのＩＣチップ１２に記憶されている薬品に関する情報が読み取られた後、読取情報処理部２５ｂに対し、その情報を音声信号及び表示信号とするように処理させることである。
【００２７】
また、ＣＰＵ２５ｈによる主な制御としては、スピーカ出力キー２４ｂが入力されると、スピーカ駆動部２５ｃを制御し、読取情報処理部２５ｂによって処理された音声信号に基づき、スピーカ２２から薬品に関する情報を音声出力させることである。
【００２８】
また、ＣＰＵ２５ｈによる主な制御としては、拡大表示キー２４ｃが入力されると、表示駆動部２５ｄを制御し、読取情報処理部２５ｂによって処理された表示信号に基づき、表示部２３に薬品に関する情報を拡大表示させることである。
【００２９】
次に、薬品情報入手システムによる薬品情報入手方法について説明する。まず、図５に示すように、薬品に関する情報が書き込まれたＲＦＩＤラベル１１ａ〜１１ｃが薬品自体により近い図１の薬瓶１０、図２の紙箱３０、図３の紙袋４０のそれぞれに貼着されているものとする。
【００３０】
ここで、図１の薬瓶１０の薬品に関する情報を読み取る場合、ハンディターミナル２０の読取部２１を薬瓶１０に貼着されているＲＦＩＤラベル１１ａに近づけ、ハンディターミナル２０の読取キー２４ａを操作する（ステップＳ１）。
【００３１】
このとき、ＣＰＵ２５ｈにより、読取駆動部２５ａが制御され、読取部２１によってＲＦＩＤラベル１１ａのＩＣチップ１２に記憶されている薬品に関する情報が読み取られる（ステップＳ２）。読取部２１によって読み取られたＲＦＩＤラベル１１ａからの薬品に関する情報は、一旦、ＲＡＭ２５ｇに記憶される（ステップＳ３）。
【００３２】
次いで、ハンディターミナル２０のスピーカ出力キー２４ｂ又は拡大表示キー２４ｃのいずれかの操作があると、ＣＰＵ２５ｈにより、読取情報処理部２５ｂが制御され、ＲＡＭ２５ｇに記憶された薬品に関する情報が音声信号又は表示信号とされる。
【００３３】
すなわち、読み取られた薬品に関する情報を音声で確認する場合、ハンディターミナル２０のスピーカ出力キー２４ｂを操作すると（ステップＳ４）、ＣＰＵ２５ｈにより、スピーカ駆動部２５ｃが制御され、読取情報処理部２５ｂによって処理された音声信号に基づき、スピーカ２２から薬品に関する情報が音声出力される（ステップＳ５，Ｓ６）。
【００３４】
これに対し、読み取られた薬品に関する情報を文字で確認する場合、ハンディターミナル２０の拡大表示キー２４ｃを操作すると（ステップＳ７）、ＣＰＵ２５ｈにより、表示駆動部２５ｄが制御され、読取情報処理部２５ｂによって処理された表示信号に基づき、表示部２３に薬品に関する情報が拡大表示される（ステップＳ８，Ｓ９）。
【００３５】
なお、表示部２３に表示される文字が拡大されることにより、表示部２３の表示領域の制約上、表示部２３には薬品に関する情報の一部が表示されることになるが、この場合、ハンディターミナル２０に矢印キー、スクロールキー、画面切換キーのいずれかを設けておき、いずれかのキーの操作に応じて表示内容が切り換えられるようにすれば、薬品に関する情報の全てを確認することができる。
【００３６】
また、図２の紙箱３０のＲＦＩＤラベル１１ｂの薬品に関する情報や、図３の紙袋４０のＲＦＩＤラベル１１ｃの薬品に関する情報を読み取って確認する場合も、上記同様の手順で行うことができる。
【００３７】
このように、第１の実施例では、読取装置としてのハンディターミナル２０により薬品の収容体である、薬瓶１０、紙箱３０、紙袋４０に付与される非接触データキャリアとしてのＲＦＩＤラベル１１ａ〜１１ｃから薬品に関する情報が非接触にて読み取られると、その読み取られた薬品に関する情報がハンディターミナル２０のスピーカ２２又は表示部２３により音声出力又は拡大表示されるようにしたので、薬品に関する情報が多くなるに従い、薬品の収容体等に記載される情報の記載文字が小さくなっても、高齢者のみならず、一般の消費者、さらには視覚障害者等に対し、簡単な構成で薬品に関する詳細な情報を極めて容易に入手できるようにすることができる。
【００３８】
また、第１の実施例では、ハンディターミナル２０により薬瓶１０、紙箱３０、紙袋４０に付与されるＲＦＩＤラベル１１ａ〜１１ｃから薬品に関する情報を読み取ればよいので、たとえば外装箱を開封後、薬品の使用中に外装箱や説明書を紛失してしまっても、薬品に関する情報を参照することができる。
【００３９】
（第２の実施例）
図６は、本発明の薬品情報入手システムの第２の実施例を示す図である。なお、以下に示す図において、図４と共通する部分には同一符号を付し重複する説明を適宜行うものとし、さらに図１〜図３を適宜引用するものとする。
【００４０】
第２の実施例では、図１〜図３に示した薬瓶１０、紙箱３０、紙袋４０のそれぞれに貼着されているＲＦＩＤラベル１１ａ〜１１ｃから得られる薬品に関する情報である、薬品の名称、用法用量、効能効果、その他詳細な注意事項のうち、必要と思われる情報のみを選択して記憶させるようにし、次回のＲＦＩＤラベル１１ａ〜１１ｃの読み取り時において、選択されている情報のみが音声出力又は拡大表示されるようにしている。
【００４１】
すなわち、図６に示すように、ハンディターミナル２０の制御系２５Ｂには、図４の制御系２５Ａの構成に情報選択キー２４ｄと選択情報書込処理部２５ｉとが追加されている。
【００４２】
情報選択キー２４ｄは、ＲＦＩＤラベル１１ａ〜１１ｃのいずれかから得られる薬品に関する情報である、薬品の名称、用法用量、効能効果、その他詳細な注意事項のうち、必要と思われる情報を選択する際に操作されるものである。
【００４３】
これらの情報を選択させるためには、たとえば読取情報処理部２５ｂにより、たとえば薬品の名称、用法用量、効能効果、その他詳細な注意事項のいずれかを選択できる項目が表示される表示信号を生成し、表示部２３に表示された項目を情報選択キー２４ｄによって選択できるようにすればよい。
【００４４】
選択情報書込処理部２５ｉは、ＲＦＩＤラベル１１ａ〜１１ｃのいずれかから得られる薬品に関する情報である、薬品の名称、用法用量、効能効果、その他詳細な注意事項のうち、情報選択キー２４ｄによって選択された情報のみが音声出力又は拡大表示されるようにＲＡＭ２５ｇの書込処理を行う。
【００４５】
ＲＡＭ２５ｇの書込処理に際しては、一旦、ＲＡＭ２５ｇにＲＦＩＤラベル１１ａ〜１１ｃのいずれかから得られる薬品に関する情報である、薬品の名称、用法用量、効能効果、その他詳細な注意事項等の全てをＲＦＩＤラベル１１ａ〜１１ｃの識別ＩＤと対応させて書き込む。その際、情報選択キー２４ｄによって選択された項目に読出可のフラグを書き込むようにするか、又は情報選択キー２４ｄによって選択されない項目についての情報をＲＡＭ２５ｇから消去しておくかのいずれかとすればよい。
【００４６】
これにより、次回のＲＦＩＤラベル１１ａ〜１１ｃの読み取り時において、ＲＦＩＤラベル１１ａ〜１１ｃのそれぞれの識別ＩＤが分かれば、既にＲＡＭ２５ｇに書き込まれている読出可のフラグに応じた情報、又はＲＡＭ２５ｇに消去されないで残されている情報の音声出力又は拡大表示が行われる。
【００４７】
なお、選択情報書込処理部２５ｉによる、情報選択キー２４ｄによって選択された情報のみが音声出力又は拡大表示されるようにＲＡＭ２５ｇの書込処理を行う動作は、ＣＰＵ２５ｈによって制御される。また、読取情報処理部２５ｂによる、たとえば薬品の名称、用法用量、効能効果、その他詳細な注意事項のいずれかを選択できる項目が表示される表示信号の生成についてもＣＰＵ２５ｈによって制御される。
【００４８】
次に、薬品情報入手システムによる薬品情報入手方法について説明する。まず、図７に示すように、たとえば図１の薬瓶１０の薬品に関する情報を読み取る場合、上記同様に、ハンディターミナル２０の読取キー２４ａを操作すると（ステップＳ１０）、読取駆動部２５ａが制御され、読取部２１によってＲＦＩＤラベル１１ａのＩＣチップ１２に記憶されている薬品に関する情報とＲＦＩＤラベル１１ａの識別ＩＤとが読み取られる（ステップＳ１１）。
【００４９】
読み取られた薬品に関する情報は、ＲＦＩＤラベル１１ａの識別ＩＤとともに、一旦、ＲＡＭ２５ｇに記憶される（ステップＳ１２）。このとき、読取情報処理部２５ｂにより、少なくとも、たとえば薬品の名称、用法用量、効能効果、その他詳細な注意事項のいずれかを選択できる項目を表示させるための表示信号が生成され、表示駆動部２５ｄによって表示部２３に選択できる項目が表示される（ステップＳ１３）。
【００５０】
この場合、それぞれの項目毎に、薬品に関する情報が表示されるようにしてもよいし、項目と薬品に関する情報とが分けられて表示されるようにしてもよい。
【００５１】
ここで、操作部２４の情報選択キー２４ｄによっていずれかの項目が選択されると（ステップＳ１４）、ＣＰＵ２５ｈにより選択情報書込処理部２５ｉが制御され、上述したように、選択された情報のみが音声出力又は拡大表示されるようにＲＡＭ２５ｇの書込処理が行われる（ステップＳ１５）。
【００５２】
なお、選択情報書込処理部２５ｉによるＲＡＭ２５ｇの書込処理は、次回のＲＦＩＤラベル１１ａの読み取り時において、再度、操作部２４の情報選択キー２４ｄによる項目の選択に応じて任意の項目を追加または削除することができる。
【００５３】
一方、次回のＲＦＩＤラベル１１ａの読み取り時においては（ステップＳ１６）、読取部２１によってＲＦＩＤラベル１１ａのＩＣチップ１２に記憶されている薬品に関する情報とＲＦＩＤラベル１１ａの識別ＩＤとが読み取られる（ステップＳ１７）。
【００５４】
このとき、少なくとも読み取られたＲＦＩＤラベル１１ａの識別ＩＤがＲＡＭ２５ｇに記憶されている場合は、読み取られた薬品に関する情報とＲＦＩＤラベル１１ａの識別ＩＤとがＲＡＭ２５ｇに記憶されないようになっている。
【００５５】
ここで、読み取られた薬品に関する情報を音声で確認する場合、ハンディターミナル２０のスピーカ出力キー２４ｂを操作すると（ステップＳ１８）、ＣＰＵ２５ｈにより、ＲＦＩＤラベル１１ａの識別ＩＤに対応したＲＡＭ２５ｇの選択情報書込処理部２５ｉによる書込処理の内容が確認される。
【００５６】
すなわち、ＣＰＵ２５ｈにより、ＲＡＭ２５ｇ内の読出可のフラグが書き込まれている項目の情報又は消去されずに残されている項目の情報がＲＡＭ２５ｇから読み出されて読取情報処理部２５ｂに渡され、読取情報処理部２５ｂによって処理された音声信号に基づき、スピーカ２２から予め選択されている項目の薬品に関する情報が音声出力される（ステップＳ１９，Ｓ２０）。
【００５７】
また、図８に示すように、読み取られた薬品に関する情報を文字で確認する場合は、ハンディターミナル２０の拡大表示キー２４ｃを操作すると（ステップＳ２１）、上記同様に、ＣＰＵ２５ｈにより、ＲＡＭ２５ｇ内の読出可のフラグが書き込まれている項目の情報又は消去されずに残されている項目の情報がＲＡＭ２５ｇから読み出されて読取情報処理部２５ｂに渡され、読取情報処理部２５ｂによって処理された表示信号に基づき、表示部２３に予め選択されている項目の薬品に関する情報が拡大表示される（ステップＳ２２，Ｓ２３）。
【００５８】
また、図２の紙箱３０のＲＦＩＤラベル１１ｂの選択された項目の薬品に関する情報や、図３の紙袋４０のＲＦＩＤラベル１１ｃの選択された項目の薬品に関する情報を読み取って確認する場合も、上記同様の手順で行うことができる。
【００５９】
このように、第２の実施例では、ハンディターミナル２０に読み取られた薬品に関する情報の中から任意の情報を選択する選択手段としての情報選択キー２４ｄを設け、その選択された任意の情報とＲＦＩＤラベル１１ａ〜１１ｃの識別ＩＤとを記憶手段としてのＲＡＭ２５ｇに記憶させ、ＲＦＩＤラベル１１ａ〜１１ｃからの薬品に関する情報の読み取りが再度行われると、読み取られたＲＦＩＤラベル１１ａ〜１１ｃの識別ＩＤがＲＡＭ２５ｇに記憶されている識別ＩＤと同一であるか、又は読み取られた薬品に関する情報とＲＡＭ２５ｇに記憶されている選択された情報とが同じものである場合、ＲＡＭ２５ｇに記憶されている選択された情報のみが音声出力又は拡大表示されるようにしたので、高齢者のみならず、一般の消費者、さらには視覚障害者等が薬品に関する情報である、たとえば薬品の名称、用法用量、効能効果、その他詳細な注意事項のうち、必要と思われる項目の情報のみを極めて容易に入手することができる。
【００６０】
また、第２の実施例では、書込手段としての選択情報書込処理部２５ｉにより、選択された任意の情報を、ＲＦＩＤラベル１１ａ〜１１ｃの識別ＩＤに対応させてＲＡＭ２５ｇに記憶させるようにした。具体的には、ＲＡＭ２５ｇの書込処理に際し、一旦、ＲＡＭ２５ｇにＲＦＩＤラベル１１ａ〜１１ｃのいずれかから得られる薬品に関する情報である、薬品の名称、用法用量、効能効果、その他詳細な注意事項等の全てをＲＦＩＤラベル１１ａ〜１１ｃの識別ＩＤと対応させて書き込む。その際、情報選択キー２４ｄによって選択された項目に読出可のフラグを書き込むようにするか、又は情報選択キー２４ｄによって選択されない項目についての情報をＲＡＭ２５ｇから消去しておくかのいずれかとした。
【００６１】
これにより、次回のＲＦＩＤラベル１１ａ〜１１ｃの読み取り時においては、ＲＦＩＤラベル１１ａ〜１１ｃの識別ＩＤに基づき、選択しておいた薬品に関する情報のみが音声出力又は拡大表示されるので、高齢者のみならず、一般の消費者、さらには視覚障害者等にあっては、たとえば薬品の名称、用法用量、効能効果、その他詳細な注意事項のうち、必要と思われる項目の情報のみを確実かつ容易に入手することができる。
【００６２】
なお、上述した第１の実施例及び第２の実施例では、非接触データキャリアとしてＲＦＩＤラベル１１ａ〜１１ｃを用いた場合について説明したが、これに限らず、非接触データキャリアをバーコードや二次元コードとしてもよい。
【図面の簡単な説明】
【００６３】
【図１】本発明の薬品情報入手システムの第１の実施例を示すものであり、ＲＦＩＤラベルを薬瓶に貼着した場合の斜視図である。
【図２】本発明の薬品情報入手システムの第１の実施例を示すものであり、ＲＦＩＤラベルを紙箱に貼着した場合の斜視図である。
【図３】本発明の薬品情報入手システムの第１の実施例を示すものであり、ＲＦＩＤラベルを紙袋に貼着した場合の斜視図である。
【図４】図１〜図３のハンディターミナルの制御系の概要を示すブロック図である。
【図５】図１〜図３の薬品情報入手システムによる薬品情報入手方法について説明するためのフローチャートである。
【図６】図１〜図３のハンディターミナルの制御系の構成を変えた場合の第２の実施例を示すブロック図である。
【図７】図６の薬品情報入手システムによる薬品情報入手方法について説明するためのフローチャートである。
【図８】図６の薬品情報入手システムによる薬品情報入手方法について説明するためのフローチャートである。
【符号の説明】
【００６４】
１０  薬瓶
１１ａ〜１１ｃ  ＲＦＩＤラベル（非接触データキャリア）
１２  ＩＣチップ
２０  ハンディターミナル（読取装置）
２１  読取部
２２  スピーカ
２３  表示部
２４  操作部
２４ａ  読取キー
２４ｂ  スピーカ出力キー
２４ｃ  拡大表示キー
２４ｄ  情報選択キー（選択手段）
２５Ａ，２５Ｂ  制御系
２５ａ  読取駆動部
２５ｂ  読取情報処理部
２５ｃ  スピーカ駆動部
２５ｄ  表示駆動部
２５ｅ  内部Ｉ／Ｆ
２５ｆ  ＲＯＭ
２５ｇ  ＲＡＭ（記憶手段）
２５ｈ  ＣＰＵ５
２５ｉ  選択情報書込処理部（書込手段）
３０  紙箱
４０  紙袋
４３  ブリスターパック
【図１】
2007233571.tif 000003
【図２】
2007233571.tif 000004
【図３】
2007233571.tif 000005
【図４】
2007233571.tif 000006
【図５】
2007233571.tif 000007
【図６】
2007233571.tif 000008
【図７】
2007233571.tif 000009
【図８】
2007233571.tif 000010